(57)【要約】  医療施設において使用され、床スペースを仕切り病院設備モジュールを支えるモジュール壁システム（２０）を提供する。床の上に垂直上方に立つよう構成された複数の枠ユニット（１００）を備え、該複数の枠ユニット（１００）は垂直方向と横方向に互いに隔てられ所定の高さ（１３２）と所定の幅（１３０）を有する複数の壁空間から成るグリッドを形成する。複数の患者医療モジュール（２４）が、該壁空間に配置され医療施設の壁（２６）を形成するよう構成されている。
2008501419.tif 000002
【特許請求の範囲】
【請求項１】
医療施設において使用されるモジュール壁システムであって、
複数の枠ユニットと、
該枠ユニットに結合され病室の壁を形成する複数の患者医療モジュールと
を備えるモジュール壁システム。
【請求項２】
前記複数の枠ユニットは、垂直方向と横方向に互いに隔てられ所定の高さと所定の幅を有する複数の壁空間から成るグリッドを形成し、前記複数の患者医療モジュールは、該壁空間に配置され壁を形成するよう構成されている請求項１に記載のシステム。
【請求項３】
前記複数の患者医療モジュールの少なくとも幾つかは、前記壁空間の前記所定の幅の１倍を含む倍数にほぼ等しい幅と、前記壁空間の前記所定の高さの１倍を含む倍数にほぼ等しい高さとを有する請求項２に記載のシステム。
【請求項４】
前記各枠ユニットは、所定の高さと所定の幅だけ互いに隔てられグリッドを形成する複数の接続点を有し、前記複数の患者医療モジュールは該接続点において該枠ユニットに結合され壁を形成する請求項１に記載のシステム。
【請求項５】
前記複数の患者医療モジュールの少なくとも幾つかは、前記所定の幅の１倍を含む倍数にほぼ等しい幅と、前記所定の高さの１倍を含む倍数にほぼ等しい高さとを有する請求項４に記載のシステム。
【請求項６】
前記接続点において前記枠ユニットに取外し可能に結合されるよう構成された複数の支持部材を備え、
該支持部材は該枠ユニットからカンチレバー状に概ね水平に延び、前記複数の患者医療モジュールは該支持部材に結合され壁を形成するよう構成されている請求項４に記載のシステム。
【請求項７】
前記各患者医療モジュールは、その両側に配置されたガイドトラックの対を１つ以上備え、該ガイドトラックの対は対向して配置された支持部材の関連する対を受容するように寸法設定及び配置されている請求項６に記載のシステム。
【請求項８】
前記患者医療モジュールは、生命徴候モジュールと、サービス提供モジュールと、ベッドロケータモジュールと、モニターモジュールと、鋭利物廃棄モジュールと、コンピュータモジュールと、管投下モジュールと、キャビネットモジュールと、廃棄物管理モジュールと、灯りモジュールと、時計モジュールとのうち１つ以上を含む請求項１に記載のシステム。
【請求項９】
前記生命徴候モジュールは、筐体と、該筐体に結合された表示パネルと、該筐体に結合されたコントローラと、該コントローラに結合された少なくとも１つの生命徴候測定装置とを備え、
該表示パネルは該コントローラに結合され、該少なくとも１つの生命徴候測定装置の出力に応答してデータを表示するよう構成されている請求項８に記載のシステム。
【請求項１０】
前記少なくとも１つの生命徴候測定装置はセンサを備える請求項９に記載のシステム。
【請求項１１】
前記センサは前記コントローラに配線を介して結合されている請求項１０に記載のシステム。
【請求項１２】
前記センサは前記コントローラに無線通信リンクを介して結合されている請求項１０に記載のシステム。
【請求項１３】
前記生命徴候モジュールは、血圧測定カフスと、体温計と、パルス酸素濃度計と、心拍モニターと、呼吸数センサと、リードとセンサのための収納器と、使い捨てプローブカバーのための収納器と、アクセサリ装着トラックとのうち１つ以上を備える請求項９に記載のシステム。
【請求項１４】
前記廃棄物管理モジュールは、ごみを集めるためのごみ容器と、鋭利な物を集めるための鋭利物廃棄容器と、バイオハザード物を集めるためのバイオハザード廃棄容器と、汚れたリネンのための汚れリネン容器とのうち１つ以上を備える請求項８に記載のシステム。
【請求項１５】
前記廃棄物管理モジュールは、前記病室の内側と外側からアクセス可能なように構成されている請求項１４に記載のシステム。
【請求項１６】
前記関連するごみ容器と、鋭利物廃棄容器と、バイオハザード廃棄容器と、汚れリネン容器とにそれぞれ結合された複数の搬送管を備え、
該搬送管は、集積されたごみ、鋭利物、バイオハザード物、及び汚れリネンをそれぞれの容器から前記病室の外にある収集モジュールに搬送するよう構成されている請求項１４に記載のシステム。
【請求項１７】
前記ごみ、鋭利物、及びバイオハザード物は、前記搬送管を介して前記収集モジュールに搬送される前に、コンパクト化される請求項１６に記載のシステム。
【請求項１８】
前記ごみ、鋭利物、及びバイオハザード物は、前記搬送管を介して前記収集モジュールに搬送される前に、それぞれの容器においてコンパクト化される請求項１６に記載のシステム。
【請求項１９】
前記サービス提供モジュールは、複数のサービスコネクタを備え、電気コンセントと、医療ガス出口と、真空口と、空気口と、通信ポートとのうち１つ以上を提供する請求項８に記載のシステム。
【請求項２０】
医療施設において使用される生命徴候モジュールであって、
筐体と、
該筐体に結合された表示パネルと、
該筐体に結合されたコントローラと、
該コントローラに結合された少なくとも１つの生命徴候測定装置と
を備え、
該表示パネルは該コントローラに結合され、該少なくとも１つの生命徴候測定装置の出力に応答してデータを表示するよう構成されている生命徴候モジュール。
【請求項２１】
医療施設において使用される装置であって、
ヘッドウォールと、
該ヘッドウォールの少なくとも第１部分へのアクセスを阻止する第１位置と該ヘッドウォールの該第１部分へのアクセスを許す第２位置との間を移動可能であり、該ヘッドウォールに結合された衣装タンスと
を備える装置。
【請求項２２】
前記第１位置と第２位置の間の前記衣装タンスの移動を導く少なくとも１つのトラックを備える請求項２１に記載の装置。
【請求項２３】
前記ヘッドウォールは複数のサービスコネクタを備える請求項２１に記載の装置。
【請求項２４】
前記衣装タンスは前記ヘッドウォールの一方の側に移動可能である請求項２１に記載の装置。
【請求項２５】
前記衣装タンスは第１セクションと第２セクションとを備え、
該第１セクションは前記ヘッドウォールの第１の側に横方向に移動可能であり、該第２セクションは前記ヘッドウォールの第２の側に横方向に移動可能である請求項２１に記載の装置。
【請求項２６】
前記ヘッドウォールは、前記医療施設の壁から外方へ突出しており、前記衣装タンスの第１セクションは、該ヘッドウォールの該第１の側に横方向に移動された後、該壁に向かって後方に移動可能であり、該衣装タンスの第２セクションは、該ヘッドウォールの該第２の側に横方向に移動された後、該壁に向かって後方に移動可能である請求項２５に記載の装置。
【請求項２７】
前記衣装タンスの第１セクションと第２セクションは、床、天井、又は床と天井の両方に結合されたトラック上を移動可能である請求項２６に記載の装置。
【請求項２８】
前記第１セクションと第２セクションのそれぞれの前記ヘッドウォールの前の第１位置と該ヘッドウォールの側の第２位置との間の移動を導くために該第１セクションと第２セクションに結合された連結システムを備える請求項２６に記載の装置。
【請求項２９】
前記衣装タンスは、洋服タンスと、棚と、キャビネットと、引出し式執筆面と、画鋲面と、娯楽センターとのうち１つ以上を備える請求項２１に記載の装置。
【発明の詳細な説明】
【技術分野】
【０００１】
本発明は、適応性のある臨床環境、特に臨床環境における壁を構築するためのモジュールシステムに関する。
【背景技術】
【０００２】
医療施設内の壁を構築する従来の方法は、医療施設の床及び／又は天井にほぼ永久的に取付けられる木材、鋼材、及び壁板を使用する。従来の構築方法は、建築作業を完了させるために大工、塗装工、配管工、電気工等の様々な職人をスケジュールする困難さに起因する長く低信頼性の建築時間を伴う。このような従来の方法を使用して建築された部屋及び空間は、容易には再構成することができない。このような再構成は、存在する壁の取り壊しを必要とし、コストと時間が掛かり、業務を妨げるだけでなく、多量のごみ、ほこり、及び騒音を生成する。取除かれた材料は一般に再利用できず処分するしかない。
【０００３】
開いた空間を複数の小部屋に分けるモジュール壁システムは周知である。このようなシステムの例が、特許文献１と特許文献２に開示されている。両方とも名称は「モジュール式病室」である。
【特許文献１】米国特許出願公開第２００２−０１０４２７１号明細書
【特許文献２】米国特許第６，４０５，４９１号明細書
【０００４】
《関連する出願への相互参照》
本出願は、２００４年０６月０３日付で出願した米国仮特許出願第６０／５７６，６６６号及び第６０／５７６，８６８号と、２００４年１１月０２日付で出願した米国仮特許出願第６０／６２４，２６０号と、２００５年０１月２０日付で出願した米国仮特許出願第６０／６４５，４１０号との利益を主張する同一の譲渡人に譲渡する通常の特許出願である。これら全ての出願を本明細書に援用する。
【発明の開示】
【課題を解決するための手段】
【０００５】
本発明は、単独でまたは組合せで特許性のある事項を構成する下記の複数の特徴のうち１つ以上又はそれらの組合せを有するシステムを含む。
【０００６】
壁を構築するためのシステムは、複数の接続点を有する複数の枠ユニットと、該接続点において該枠ユニットに結合され壁を形成する複数の患者医療モジュールとを備えてもよい。前記複数の枠ユニットは、垂直方向と横方向にそれぞれ所定の間隔で互いに隔てられた複数の接続点から成るグリッドを形成する。前記複数の患者医療モジュールの少なくとも幾つかは、前記所定の横方向間隔の１倍を含む倍数にほぼ等しい幅と、前記所定の垂直方向間隔の１倍を含む倍数にほぼ等しい高さとを有する。
【０００７】
前記患者医療モジュールの幾つか例は、生命徴候モジュール、サービス提供モジュール、ベッドロケータモジュール、モニターモジュール、ビューボックスモジュール、鋭利物廃棄モジュール、コンピュータ／キーボードモジュール、管投下モジュール、廃棄物管理モジュール、灯りモジュール、及び時計モジュールである。このリストは例にすぎず、全てを網羅していることを意図していない。
【０００８】
上記以外の特徴が、単独でまたは上記又は請求項に記載された特徴と組合せで特許性のある事項を構成する可能性があり、発明を実施するための現時点での最良の形態である以下の実施形態の詳細な説明から、当業者に明らかとなるであろう。
【発明を実施するための最良の形態】
【０００９】
図１と図２に示すように、壁を構築するためのモジュール壁システム２０が提供される。図示のように、モジュール壁システム２０は、複数の基礎構造部品２２と、基礎構造部品２２に結合されヘッドウォール２６等の壁を形成する、患者医療又はヘッドウォールモジュール２４等の複数のモジュールとを備える。このようなシステム２０は、例えば個室の病室等の医療施設内の壁を構築するために使用される。
【００１０】
図１を参照すると、患者医療装置２４は、例えば、生命徴候モジュール２００（図３に示す）と、水平サービス提供モジュール２０２（図４に示す）と、垂直サービス提供モジュール２０４（図５に示す）と、ベッドロケータモジュール２０６（図６に示す）と、フラット画面モニターモジュール２０８（図７に示す）と、フラット画面が関節付き入れ子アームに装着されたモニターモジュール２１０（図８に示す）と、ビューボックスモジュール２１２（図９に示す）と、鋭利物廃棄モジュール２１４（図１０に示す）と、コンピュータ・キーボードモジュール２１６（図１１に示す）と、管投下モジュール２１８（図１２に示す）と、キャビネットモジュール２２０（図１３に示す）と、廃棄物管理モジュール２２２（図１４に示す）と、灯りモジュール２２４（図１に示す）と、時計モジュール２２６（図１に示す）とを含む。また、飾りパネルモジュール２２８はモジュールスペースを閉じる又は覆うために設けられてもよい。上記リストは一例であり、全てを網羅していることを意図していない。
【００１１】
図１の壁２６は患者医療装置２４を含んでいるが、モジュール式壁は、他のモジュール、例えば足壁モジュール、臨床壁モジュール、家族ゾーンモジュール、衛生ゾーンモジュール等(不図示)を含んでもよい。家族ゾーンモジュールの幾つかの例は、訪問者用収納式ベッドモジュール、電子レンジモジュール、冷蔵庫モジュール、キャビネットモジュール、引出しモジュール、展開式座モジュール、読書灯モジュール、テレビモジュール、棚モジュール、洋服ダンスモジュール、飾りパネルモジュール、ホワイトボードモジュール、画鋲面モジュール、及びムードパネルモジュールである。このような家族ゾーンモジュールは国際特許出願Ｎｏ．PCT／US２００５／xxxxxx（attorney docket no. 7175-78001）に開示されている。この出願は本出願と同一の譲渡人に譲渡する特許出願であり、この出願を本明細書に援用する。用語「病院設備モジュール」は、広義の意味で使用されており、患者医療モジュール、足壁モジュール、臨床壁モジュール、家族ゾーンモジュール、衛生ゾーンモジュール、ドアモジュール、窓モジュール、展開式ベッドモジュール、生命徴候モジュール、装置収納モジュール等を含んでいる。
【００１２】
図２に示すように、基礎構造部品２２は枠ユニット１００と、複数の支持部材１０２とを含む。本実施形態では、支持部材１０２は枠ユニット１００に取外し可能に結合されるよう構成されたハンガーである。各枠ユニット１００は一対の垂直部材１１０と、枠ユニット１００の上部と底部の近くにおいて垂直部材１１０間を延びる一対の水平部材１１２とを備え、垂直部材１１０と水平部材１１２は、枠ユニット１００の前面１１６と後面１１８の間に亘る開いた空間または空洞１１４を中央に有する概ね矩形の構造体を形成する。図示のように、垂直部材１１０と水平部材１１２とは概ね矩形の断面を有する管状部材から作られている。
【００１３】
各枠ユニット１００の垂直部材１１０は、枠ユニット１００の前側１１６に面した第１の数の接続点１２０と、枠ユニット２０４の後側１１８に面した第２の数の接続点１２０とを有する。本実施形態では、第１の数の接続点１２０は、枠ユニット１００の前側１１６に面しその奥行きに沿って延びる第１の数のハンガー受容穴１２０であり、同様に、第２の数の接続点１２０は、枠ユニット１００の後側１１８に面しその奥行きに沿って延びる第２の数のハンガー受容穴１２０である。ハンガー受容穴１２０はハンガー１０２を受容する寸法及び形を有す。挿入された時、ハンガー１０２は枠ユニット１００のハンガー受容穴１２０に嵌合し、固く適正にロックされる。図示のように、ハンガー１０２とハンガー受容穴１２０とは横断面が概ね矩形である。ハンガー１０２は、枠ユニット１００からカンチレバー状に概ね水平に延びる。下記に説明するように、ハンガー１０２の長さは、ハンガー１０２によって支持されるモジュール２４の奥行きに概ね一致する。
【００１４】
各枠ユニット１００の幅又はＸ軸に沿った、垂直部材１１０のハンガー受容穴１２０同士の中心間の横方向間隔１３０は固定である。図示のように、ハンガー受容穴１２０の中心間横方向間隔１３０は約２フィート（約０．６０メートル）である。各枠ユニット１００の高さ又はＺ軸に沿った、垂直部材１１０のハンガー受容穴１２０同士の中心間の垂直方向間隔１３２も固定である。図示のように、高さに沿ったハンガー受容穴１２０の中心間間隔１３２は約２フィート（約０．６０メートル）である。
【００１５】
従って、該第１の数と第２の数のハンガー受容穴１２０は、所定の幅１３０と所定の高さ１３２だけ互いに隔てられ、２フィート×２フィート（約０．６０メートル×約０．６０メートル）のグリッドを枠ユニット１００の両側１１６、１１８に形成する。各モジュール２４は、該所定の幅（本実施形態では２フィート又は約０．６０メートル）の１倍を含む倍数にほぼ等しい幅と、該所定の高さ（本実施形態では２フィート又は約０．６０メートル）の１倍を含む倍数にほぼ等しい高さを有する。
【００１６】
図２の実施形態では、第１の数のモジュール２４が、枠ユニット１００の前側１１６のハンガー１０２によって支持されている。第２の数のモジュール２４が、枠ユニット１００の後側１１８のハンガー１０２によって支持されている。図１５に示すように、各モジュール２４はモジュール２４の上端の近くの両側に配置された一対のガイドトラック又はチャネル１４０と、下端の近くの両側に配置された一対のガイドトラック又はチャネル１４０とを有する。上端と下端の二対のガイドトラック１４０は、枠ユニット１００の垂直部材１１０に取付けられた対応するハンガー１０２をスライド方式で受容する。ガイドトラック１４０とハンガー１０２はスライド嵌合するように寸法が決められている。適切なラッチによりモジュール２４がハンガー１０２に固定される。
【００１７】
各枠ユニット１００の下部水平部材１１２は、医療施設の床１５２に該枠ユニット１００を取付けるための一対の垂直に延びる貫通孔１５０を有する。同様に、各枠ユニット１００の上部水平部材１１２は、医療施設の床１５２から天井１５４に延びる該枠ユニット１００を天井１５４に取付けるための一対の垂直に延びる貫通孔１５０を有する。スタッド、ピン、ねじ、又はナットとボルト等の任意の適当な留め具１５６を、枠ユニット１００を床１５２と天井１５４とに取付けるために使用してもよい。本実施形態では、モジュール２４を例えば、モップ、床清掃器具等から保護できるように、枠ユニット１００は、床１５２の代わりにベース板１５８に取付けられ、ベース板１５８は床１５２に取付けられる。図示のように、ベース板１５８は高さ約４インチ（１０．１６センチメートル）である。
【００１８】
本実施形態では、各枠ユニット１００は両側の隣接する枠ユニット１００に結合される。また、医療施設の既存の通常の壁１６０に最も近い枠ユニット１００はその壁に取付けられる。このために、各枠ユニット１００の垂直部材１１０は複数の横方向に延びる貫通孔１６２を有する。スタッド、ピン、ねじ、又はナットとボルト等の任意の適当な留め具１６４を、各枠ユニット１００を両側の隣接する枠ユニット１００及び隣接する既存の通常の壁１６０に取付けるために使用してもよい。
【００１９】
ユーティリティ管１７２が医療施設の機械室から病室２８に配管されてもよい。ユーティリティ管１７２は通常、病室２８の床１５２、天井１５４又は壁２６を通って配管されてよい。水平部材１１２は垂直に延びる貫通スロット又は孔１７０を有し、これを通ってユーティリティ管１７２が枠部材１１０、１１２によって画成された開いた空間または空洞１１４に入る。次に、ユーティリティ管１７２は開いた空間１１４から関連するモジュール２４に配管される。例として、ユーティリティ管１７２はデータ線、ガス管、真空管、ＡＣ／ＤＣ電力線、温水管、冷水管、及び配管を含む。
【００２０】
また、ユーティリティ管１７２を枠ユニット１００の開いた空間１１４から両側の隣接する枠ユニット１００の開いた空間１１４へ配管するために、横方向に延びる貫通孔（不図示）を枠ユニット１００の垂直部材１１０に形成してもよい。次に、ユーティリティ管１７２は該隣接する枠ユニット１００の開いた空間１１４から関連するモジュール２４に配管される。枠ユニット１００の開いた空間１１４に、音及び／又は熱に対する絶縁材を充填してもよい。
【００２１】
患者医療モジュール２４群は、ハンガー受容穴１２０の該所定の横方向間隔１３０の１倍を含む倍数にほぼ等しい幅を有する。本実施形態では、ハンガー受容穴１２０の該所定の横方向間隔１３０は約２フィート（約６０センチメートル）である。従って、患者医療モジュール２４の幅は約２フィート（約６０センチメートル）、４フィート（約１２０センチメートル）、６フィート（約１８０センチメートル）等でありうる。患者医療モジュール２４群は、ハンガー受容穴１２０の該所定の垂直方向間隔１３２の１倍を含む倍数にほぼ等しい高さを有する。本実施形態では、ハンガー受容穴１２０の該所定の垂直方向間隔１３２は約２フィート（約６０センチメートル）である。従って、患者医療モジュール２４の高さは約２フィート（約６０センチメートル）、４フィート（約１２０センチメートル）、６フィート（約１８０センチメートル）、８フィート（約２４０センチメートル）等でありうる。
【００２２】
モジュール２４の幅と高さはそれぞれ、ハンガー受容穴１２０の該所定の横方向間隔１３０と該所定の垂直方向間隔１３２の１倍を含む倍数であるが、モジュール２４の奥行きは、その機能に依って変わる。例えば、飾りパネルモジュール２２２は奥行き約１インチ（２．５４センチメートル）である。上述のように、ハンガー１０２の長さは該ハンガー１０２によって支持されるモジュール２４の奥行きに概ね一致する。従って、奥行き１インチ（２．５４センチメートル）の飾りパネルモジュール２２８を支持するハンガー１０２の長さも、約１インチ（２．５４センチメートル）である。このようなモジュール壁システム２０は国際特許出願Ｎｏ．PCT／US２００５／xxxxxx（attorney docket no. 7175-78000）に開示されている。この出願は本出願と同一の譲渡人に譲渡する特許出願であり、この出願を本明細書に援用する。
【００２３】
図３に示すように、生命徴候モジュール２００は、筐体２５０、表示パネル２５２、コントローラ２５４（図１６、図１７に示す）、非観血式血圧測定器２５６、体温計２５８、パルス酸素濃度計２６０、心拍モニター２６２、使い捨てプローブカバーのための収納コンパートメント２６４、リードとセンサのための収納コンパートメント２６６、及びアクセサリ装着トラック２６８を備える。生命徴候計測装置２５６、２５８、２６０、２６２は、医療施設内の患者のベッドの側に必要であることが多い。生命徴候計測装置の上記のリストは一例であり、全てを網羅していることを意図していない。
【００２４】
本明細書と請求項において、用語「生命徴候計測装置」は、血圧、体温、血中酸素量、心拍数、呼吸数等の人の生命徴候を含む患者の任意の生理学的状態又は特性を計測する装置を意味する。また、用語「心拍モニター」はＥＫＧモニター、心臓モニター等の類似の用語と交換可能に使用される。図１６、図１７において、符号４２０は、血圧、体温、血中酸素量及び心拍数以外の１つの生命徴候を計測する生命徴候計測装置を指す。
【００２５】
筐体２５０は概ね箱形であり、前部壁２７０と、後部壁２７２と、一対の側壁２７４、２７６と、上部壁２７８と、底壁２８０とを有する。表示パネル２５２は前部壁２７０に結合される。コントローラ２５４（図１６、図１７に示す）は筐体２５０の内部（不図示）に配置される。図１６、図１７に示すように、コントローラ２５４は、血圧測定器２５６、体温計２５８、パルス酸素濃度計２６０、及び心拍モニター２６２から入力を受け取るマイクロコントローラ３８４を備える。生命徴候計測装置２５６、２５８、２６０、２６２の出力に応答して、マイクロコントローラ３８４はグラフィックデータ及び／又は英数字データ（例えば血圧、体温、血中酸素量、心拍数、呼吸数）を表示パネル２５２に表示する。表示パネル２５２に表示されたデータは、もし望むなら、波形、棒グラフ、円グラフ等の形態であってもよい。また、生命徴候計測装置２５６、２５８、２６０、２６２からのデータは、有線又は無線通信リンクを介して医療施設内のコンピュータネットワークに送信されてもよい。
【００２６】
非観血式血圧測定器２５６はカフス３００を備える。カフス３００は不使用時、前部壁２７０に形成された空洞又はスロット３０２に収納される。拡張コード３０４は血圧カフス３００を筐体２５０の前部壁２７０に結合された装着板３０８上の端子３０６に結合する。本実施形態では、装着板３０８は筐体２５０の前部壁２７０とほぼ面一である。端子３０６は血圧測定器２５６の電気部品と結合されている。装着板３０８は血圧測定器２５６の電気部品を収容するハウジングの一部を形成してもよい。血圧測定器２５６の電気部品は、例えば図１６に示すように、コントローラ２５４に結合される。動作時、血圧測定のためにカフス３００は患者の上腕に巻かれる。
【００２７】
幾つかの実施形態では、生命徴候モジュール２００は観血式血圧測定器（不図示）を備える。該観血式血圧測定器は変換器に結合されたカテーテルを備える。該カテーテルは患者の動脈に挿入され、該変換器はコントローラ２５４に結合される。コントローラ２５４に結合された表示パネル２５２は該変換器の出力に基づいたアナログ波形を表示する。
【００２８】
体温計２５８はプローブ３２０を備える。体温計２５８を使用しない時、前部壁２７０に結合されたホルダー３２２はプローブ３２０を解放可能に支持する。拡張コード３２４はプローブ３２０を筐体２５０の前部壁２７０に結合された装着板３２８上の端子３２６に結合する。本実施形態では、装着板３２８は筐体２５０の前部壁２７０とほぼ面一である。端子３２６は体温計２５８の電気部品に結合される。装着板３２８は体温計２５８の電気部品を収容するハウジングの一部を形成してもよい。体温計２５８の電気部品は、例えば図１６に示すように、コントローラ２５４に結合される。プローブ３２０用の使い捨てカバー（不図示）は収納コンパートメント２６４に収納されている。収納コンパートメント２６４は該プローブカバーへのアクセスを阻止する閉位置と該アクセスを許す開位置との間を移動可能である。収納コンパートメント２６４はハンドル３３０を備える。動作時、プローブ３２０は患者の体温を測定するために患者の口に挿入される。
【００２９】
パルス酸素濃度計２６０は、前部壁２７０に結合された装着板３４８と、拡張コード３４４により装着板３４８上の端子３４６に結合された指クリップ３４２とを備える。本実施形態では、装着板３４８は筐体２５０の前部壁２７０とほぼ面一である。端子３４６はパルス酸素濃度計２６０の電気部品に結合される。装着板３４８はパルス酸素濃度計２６０の電気部品を収容するハウジングの一部を形成してもよい。パルス酸素濃度計２６０の電気部品は、例えば図１６に示すように、コントローラ２５４に結合される。パルス酸素濃度計２６０を使用しない時、ホルダー３５０が指クリップ３４２を解放可能に支持するように前部壁２７０に結合されている。動作時、指クリップ３４２は患者の血中の酸素飽和レベルを測定するために患者の指に取付けられる。
【００３０】
心拍モニター２６２は、前部壁２７０に結合された装着板３６０と、装着板３６０上の複数の端子３６４にそれぞれリード３６６により結合された複数の電極３６２とを備える。本実施形態では、装着板３６０は筐体２５０の前部壁２７０とほぼ面一である。端子３６４は心拍モニター２６２の電気部品に結合される。装着板３６０は心拍モニター２６２の電気部品を収容するハウジングの一部を形成してもよい。心拍モニター２６２の電気部品は、例えば図１６に示すように、コントローラ２５４に結合される。心拍モニター３６２を使用しない時、電極３６２とリード３６６は収納コンパートメント２６６に収納されている。収納コンパートメント２６６は電極３６２とリード３６６へのアクセスを阻止する閉位置と該アクセスを許す開位置との間を移動可能である。収納コンパートメント２６６はハンドル３６８を備える。動作時、電極３６２は患者の心拍数を測定するために患者の胸に取付けられる。
【００３１】
本実施形態では、心拍モニター２６２は患者の呼吸数を測定し、心拍数と心臓リズムを測定する他に無呼吸の兆候がないかモニターする。しかし、生命徴候モジュール２００が医療施設の医療／外科領域に設置される場合は、生命徴候モジュール２００は別個の無呼吸モニターを備えてもよい。幾つかの実施形態では、心拍モニター２６２は心拍数のみを測定する。この場合、生命徴候モジュール２００は別個の呼吸数測定器を備えてもよい。
【００３２】
アクセサリ装着トラック２６８は、医療施設の床にほぼ垂直に延びるよう筐体２５０の前部壁２７０に結合される。幾つかの実施形態では、アクセサリ装着トラック２６８はほぼ水平に延びる。アクセサリ装着トラック２６８はアクセサリバスケット２８２等の１つ以上のアクセサリとボトル（不図示）とを支持するよう構成されている。
【００３３】
各生命徴候測定装置は、生命徴候をモニターする対象の患者に結合されるよう構成された１つ以上の生命徴候測定センサを備える。従って、血圧測定器２５６はカフス３００を備え、体温計２５８はプローブ３２０を備え、パルス酸素濃度計２６０は指クリップ３４２を備え、心拍モニター２６２は複数の電極３６２を備える。本実施形態では、血圧測定器２５６、体温計２５８、パルス酸素濃度計２６０、心拍モニター２６２等の生命徴候測定装置のそれぞれのセンサ３００、３２０、３４２、３６２はコントローラ２５４にそれぞれ拡張コード３０４、３２４、３４４及びリード３６６を介して結合される。
【００３４】
幾つかの実施形態では、１つ以上の生命徴候測定装置２５６、２５８、２６０、２６２はコントローラ２５４に無線通信リンクを介して結合されてもよい。各無線通信リンクは、センサ３００、３２０、３４２、又は３６２に結合された無線送信機とコントローラ２５４に結合された無線受信機とを備えてよい。無線送信機と無線受信機はそれぞれ、無線信号を送信するアンテナと受信するアンテナを備えてよい。幾つかの実施形態では、無線通信リンクはセンサ３００、３２０、３４２、又は３６２に結合された第１の無線送受信機と、コントローラ２５４に結合された第２の無線送受信機とを備えてもよい。無線通信リンクを備える生命徴候測定装置２５６、２５８、２６０、２６２は、コントローラ２５４との無線通信を可能にするためにその近傍で使用される。生命徴候モジュール２００は、センサ３００、３２０、３４２、３６２のうち少なくとも１つを付けた患者が関連する無線通信リンクの無線通信範囲外に出た場合に発せられる警報を備えてもよい。
【００３５】
図１６に示すように、血圧測定器２５６の出力は信号線３８２を介して信号調節回路３８０に結合される。信号調節回路３８０の出力は信号線３８６を介してコントローラ３８４に結合される。体温計２５８の出力は信号線３９２を介して信号調節回路３９０に結合される。信号調節回路３９０の出力は信号線３９６を介してコントローラ３８４に結合される。パルス酸素濃度計２６０の出力は信号線４０２を介して信号調節回路４００に結合される。信号調節回路４００の出力は信号線４０６を介してコントローラ３８４に結合される。心拍モニター２６２の出力は信号線４１２を介して信号調節回路４１０に結合される。信号調節回路４１０の出力は信号線４１６を介してコントローラ３８４に結合される。
【００３６】
生命徴候測定装置４２０の出力は信号線４３２を介して信号調節回路４３０に結合される。信号調節回路４３０の出力は信号線４３６を介してコントローラ３８４に結合される。上述のように、生命徴候測定装置４２０は、血圧、体温、血中酸素量及び心拍数以外の１つの生命徴候を計測する。各信号調節回路３８０、３９０、４００、４１０、４３０はそれぞれ関連する生命徴候測定装置２５６、２５８、２６０、２６２、４２０の出力をコントローラ３８４への入力に適切な形態に変換する。信号調節回路３８０、３９０、４００、４１０、４３０は、Ａ／Ｄコンバータ、増幅器、フィルタ回路、及び平滑回路のうち１つ以上を含む如何なるタイプの電気回路を備えてもよい。
【００３７】
コントローラ３８４の出力は信号線４４２を介してドライバ回路４４０に結合される。ドライバ回路４４０の出力は信号線４４６を介して表示パネル２５２に結合される。ドライバ回路４４０はコントローラ３８４の出力を表示パネル２５２への入力に適切な形態に変換する。ドライバ回路４４０は、Ａ／Ｄコンバータ、増幅器、及びフィルタ回路のうち１つ以上を含む如何なるタイプの電気回路を備えていてもよい。生命徴候測定装置２５６、２５８、２６０、２６２の出力を表すデータ（例えば血圧、体温、血中酸素量、心拍数、呼吸数）が表示パネル２５２に表示される。幾つかの実施形態では、表示パネル２５２は、更に、生命徴候測定装置２５６、２５８、２６０、２６２の装置警報状態と装置設定とのうち１つ以上に関する情報を含む動作状態を表示するよう構成されてもよい。
【００３８】
図１７は生命徴候モジュール２００の様々な電気部品の他の配置を示す。図示のように、信号調節回路３８０、３９０、４００、４１０、コントローラ３８４、ドライバ回路４４０は全てバス４４８に、図１６のマスタ・スレーブ構成ではなく、ピア・ツー・ピア構成で結合されている。図３、図１６、図１７に示した実施形態では、４つの生命徴候測定装置２５６、２５８、２６０、２６２がコントローラ３８４に結合されているが、４を超える又は４未満の数の生命徴候測定装置がコントローラ３８４に結合されてもよい。
【００３９】
幾つかの実施形態では、表示パネル２５２はタッチスクリーン表示パネル（不図示）により構成されてもよい。第１のモードでは該タッチスクリーン表示パネルは、患者の生命徴候データを表示可能であり、第２のモードでは該タッチスクリーン表示パネルは、生命徴候測定装置２５６、２５８、２６０、２６２へ入力を提供するためにタッチ可能な複数のアイコンを表示可能であってもよい。タッチスクリーン表示パネルは患者生命徴候データと該アイコンとを同時に表示可能であり、また、患者生命徴候データと該アイコンとを別々に表示可能である。
【００４０】
幾つかの実施形態では、生命徴候モジュール２０は、生命徴候測定装置２５６、２５８、２６０、２６２へ入力を提供するための英数字キーボード（不図示）等のユーザインターフェイス及び／又はバーコードスキャナ、網膜スキャナ等の電子データ入力装置を備えている。生命徴候モジュール２００は、もし望むなら、コントローラ２５４に結合されたデータポート（不図示）を備えていてもよい。データは、該データポートを介してコントローラ２５４にアップロード及び／又はコントローラ２５４からダウンロードされる。幾つかの実施形態では、生命徴候モジュール２００は、聴覚または視覚による警報を備えていてもよい。
【００４１】
図４は水平サービス提供モジュール２０２を示す。一方、図５は垂直サービス提供モジュール２０４を示す。サービス提供モジュール２０２、２０４は電力、医療ガス、真空等のユーティリティを患者及び心肺モニター、人工呼吸器、輸液ポンプ、静脈ポンプ、細動除去器等の患者医療装置（不図示）に提供する。各サービス提供モジュール２０２、２０４はキャビネット５００と図４のように横又は図５のように上下にスライドする一対のドア５０２とを備える。制御ボタン（不図示）をドア５０２を開閉するために設けてもよい。ドア５０２は透明でも不透明でもよい。また、装飾挿入物を有してもよい。
【００４２】
各サービス提供モジュール２０２、２０４は複数のサービスコネクタ５０４を備える。本実施形態では、サービスコネクタ５０４は、電力を供給する電気コンセント５０６と、例えば酸素、窒素、空気等のうち１つ以上を供給する医療ガス出口５０８と、負圧を供給する負圧源（不図示）に結合された負圧口５１０とを含む。該負圧源は例えば医療施設の中央負圧源、又は病室または他の場所にある真空ポンプであってもよい。本実施形態では、スライド５１２は負圧口５１０、体液用のボトル５１４、及びアクセサリバスケット５１６（図４に示す）を支持する。負圧口５１０、ボトル５１４、及びバスケット５１６はスライド５１２に沿って移動可能である。
【００４３】
複数のサービス配達線または管５１８が、病室から離れている設備からサービスコネクタ５０４まで延びている。サービス配達線５１８は病室の天井、床または壁のうち１つを通って配線されてもよい。各サービス提供モジュール２０２、２０４は、ドア５０２が開いたときオンになる１つ以上の作業灯５２０を備える。サービスコネクタ５０４は、データ、例えば音声データ、映像データ、及び情報データのうち１つ以上を病室に送信するデータポート（不図示）を備えてもよい。サービス提供モジュール２０２、２０４は電話、ナース呼出ボタン、コードボタン等の通信設備（不図示）を備えてもよい。
【００４４】
図６を参照すると、ベッドロケータモジュール２０６はベッド受容空間または空洞５３０を備え、病院ベッド（不図示）はベッド受容空間または空洞５３０に嵌合するよう構成される。ベッドロケータモジュール２０６は病院ベッド又は患者医療装置への偶発的な損傷を防ぐ一対のバンパーパッド５３２を備える。ベッドロケータモジュール２０６は複数のサービスコネクタ５３４を備える。サービスコネクタ３６４は電気コンセント、医療ガス出口、負圧口、及びデータ通信ポートを含む。ベッドロケータモジュール２０６は体液用のボトルを支えるボトルスライド（不図示）を備えてもよい。また、ベッドロケータモジュール２０６は電話、ナース呼出ボタン等の通信設備（不図示）を備えてもよい。
【００４５】
図７のモニターモジュール２０８は、サービス配達線５４２に結合された静止フラット画面５４０を備える。図８のモニターモジュール２１０は、内部空洞又は空間５５２を形成するキャビネット５５０を備える。フラット画面５５４は、キャビネット５５０に結合された関節付き入れ子アーム５５６に装着されている。フラット画面５５４はキャビネット５５０に隣接した第１の位置と、キャビネット５５０から離れた第２の位置の間を移動可能である。フラット画面５５４がキャビネット５５０に隣接した第１の位置にいる時、関節付き入れ子アーム５５６は内部空洞又は空間５５２内に引っ込んでいる。サービス配達線５５８が関節付きアーム５５６内を通って配線されフラット画面５５４に結合される。
【００４６】
図９を参照すると、ビューボックスモジュール２１２は、サービス配達線５７２に結合された灯りユニットを収容する内部空間（不図示）を有するキャビネット５７０と、該内部空間を囲う半透明なスクリーン５７４とを備える。Ｘ線写真５７８を支持するために、Ｘ線ホルダー５７６がキャビネット５７０の上縁に沿って横に延びている。ビューボックスモジュール２１２は、該灯りユニットを操作するための制御ボタン５８０を備える。図１０に示すように、鋭利物廃棄モジュール２１４は、例えば使用済みの針、注射器、ナイフ、刃等の鋭利な物を後で廃棄するために集めるためのスライド可能な引き出し５８０を備える。鋭利物廃棄モジュール２１４は、粉砕機（不図示）又は固め機（不図示）を備えてもよい。
【００４７】
図１１を参照すると、コンピュータ・キーボードモジュール２１６は、棚収容空洞５９２を有するキャビネット５９０と、収納位置と使用位置の間を移動可能なキャビネット５９０に支えられた棚５９４とを備える。該収納位置において、棚５９４は空洞５９２内にあり、該使用位置において、棚５９４は空洞５９２外にある。該使用位置において、棚５９４はカンチレバー状にキャビネット５９０から水平に延びるように構成されている。棚５９４が収納位置にある時は、棚５９４の外方に面する壁は、キャビネット５９０の外方に面する壁と面一である。コンピュータ・キーボードモジュール２１６は空洞５９２内に支持されたフラット画面５９６と、棚５９４上に支持された傾斜可能なキーボード５９８とを備える。
【００４８】
図１２に示すように、空気圧式管投下モジュール２１８は、管投下物６０２を収容する投下物受容空洞又は空間を有するキャビネット６００を備える。キャビネット６００は、管投下物６０２にアクセスするためのドア６０４と、ドア６０４を開閉するための制御ボタン６０６とを有する。供給・配達管６０８が空気圧式管投下モジュール２１８に結合され、供給物（例えば、薬、創傷包帯、殺菌された注射器等）と通信文（例えば、処方箋、患者カルテ等）を病室から回収すること及び病室に配達することができる。ドア６０４は透明でも不透明でもよい。また、ドア６０４は装飾挿入物を有してもよい。図１３に示すように、キャビネットモジュール２２０は収納キャビネット６２０とキャビネット６２０に対して上下にスライドするドア６２２とを備える。ドア６２２は透明でも不透明でもよい。また、ドア６２２は装飾挿入物を有してもよい。図１３の例示のキャビネット６２０は水平に置かれているが、垂直に置かれてもよい。
【００４９】
図１４に示すように、廃棄物管理モジュール２２２は、ごみを集めるためのごみ容器６３０と、例えば使用済みの針、注射器、ナイフ、刃等の鋭利な物を集めるための鋭利物廃棄容器６３２と、例えば患者の体液、患者の組織等のバイオハザード物を集めるためのバイオハザード廃棄容器６３４と、例えばガウン、シーツ、タオル等の汚れたリネンのための汚れリネン容器６３６とを備える。廃棄物管理モジュール２２２は、病室内から全ての廃棄物をそれぞれ容器６３０、６３２、６３４、６３６に入れられるように病室内からアクセス可能に、また、病室内に入ることなく廃棄物を容器６３０、６３２、６３４、６３６から取り出せるように廊下等の病室外からアクセス可能に構成されている。
【００５０】
幾つかの実施形態では、複数の搬送管６４０、６４２、６４４、６４６がそれぞれごみ容器６３０、鋭利物廃棄容器６３２、バイオハザード廃棄容器６３４、及び汚れリネン容器６３６に結合されている。搬送管６４０、６４２、６４４、６４６は蓄積されたごみ、鋭利物、バイオハザード物、及び汚れリネンを容器６３０、６３２、６３４、６３６から病院廊下に位置する収集モジュール（不図示）に搬送するよう構成されている。ごみ、鋭利物、バイオハザード物、及び汚れリネンはハウスキーピングによって廃棄のために集められる。ごみ、鋭利物、及びバイオハザード物は該収集モジュールへの搬送の前に、コンパクト化または粉砕されてもよい。このために、場合によっては、ごみ容器６３０、鋭利物廃棄容器６３２、及びバイオハザード廃棄容器６３４はコンパクタ（不図示）または粉砕機（不図示）を備えてもよい。
【００５１】
廃棄物管理モジュール２２２は、ごみ容器６３０、鋭利物廃棄容器６３２、バイオハザード廃棄容器６３４、及び汚れリネン容器６３６を収容する複数の容器収容空洞又は空間を有するキャビネット６５０を備える。キャビネット６５０はごみ容器６３０にアクセスするためのドア６５２と、ドア６５２を開閉するための制御ボタン６５４とを有する。キャビネット６５０は鋭利物廃棄容器６３２にアクセスするためのドア６５６と、ドア６５６を開閉するための制御ボタン６５８とを有する。キャビネット６５０はバイオハザード廃棄容器６３４にアクセスするためのドア６６０と、ドア６６０を開閉するための制御ボタン６６２とを有する。キャビネット６５０は汚れリネン容器６３６にアクセスするためのドア６６４と、ドア６６４を開閉するための制御ボタン６６６とを有する。
【００５２】
図１８〜図２２は衣装タンス７０２とヘッドウォール７２６を備える装置７００を示す。本実施形態では、ヘッドウォール７２６は患者医療モジュール２４として構成されている。衣装タンス７０２は、第１と第２のセクション７２８、７３０を備える。図２０、図２２に示すように、例示のヘッドウォール７２６は医療施設の壁７０４から突出している。衣装タンス７０２は図２１、図２２に示すヘッドウォール７２６の前の第１位置と図１８〜図２０に示すヘッドウォール７２６の側の第２位置との間を移動可能である。ヘッドウォール７２６の前に位置する場合は、衣装タンス７０２は複数のサービスコネクタ７５４のうち少なくとも幾つかを見えないようにし、これによりホテルまたは居間の家具の外観に似た外観を提供し、患者、家族、及び訪問者が病院環境に対して持つ威圧的なイメージを和らげる。外科施設に、術後回復の初期において必要な電力、医療ガス、真空等のためのサービスコネクタを有するヘッドウォールを備える手術前／後室がある場合に、装置７００は有用である可能性がある。しかし、患者が手術前室にいる間、医療ガス等の存在は、患者、家族、及び訪問者の側に不安を引き起こす可能性がある。上述のように、ヘッドウォール７２６の前に位置する場合は、衣装タンス７０２は複数のサービスコネクタ７５４のうち少なくとも幾つかを見えないようにし、病院環境の威圧的なイメージを和らげる。
【００５３】
図１８〜図２０に示すように、サービスコネクタ７５４へのアクセスを提供するために、セクション７２８、７３０はヘッドウォール７２６の側の該第２位置に移動可能である。図２２に示すように、第１セクション７２８はヘッドウォール７２６の第１側７３６へ横方向７３４に移動した後、壁７０４に向かい後方７３２へ移動する。同様に、第２セクション７３０はヘッドウォール７２６の第２側７４２へ横方向７４０に移動した後、壁７０４に向かい後方７３８へ移動する。別の配置では、ヘッドウォール７２６は壁７０４の中に埋め込まれ、セクション７２８、７３０は横方向に移動可能であるが、ヘッドウォール７２６の側の位置へ後方に移動することはない。
【００５４】
ヘッドウォール７２６の前の第１位置とヘッドウォール７２６の側の第２位置の間のセクション７２８、７３０の移動を導くために、病院部室７４４の床７４６又は天井７４８に結合されたトラックを設けてもよい。セクション７２８、７３０の移動を容易にするために、セクション７２８、７３０は例えばトラック係合ホイール、キャスタ、又はローラを備えてよい。幾つかの実施形態では、セクション７２８、７３０に結合された連結システム（不図示）が設けられてもよい。このような連結システムはセクション７２８、７３０の第１位置と第２位置の間の移動を導く。該連結システムは部室７４４の床７４６又は天井７４８によって又は部室７４４の床７４６から上方に延びる支持構造体によって支持されてもよい。他の連結システムはヘッドウォール７２６とセクション７２８、７３０とを他の構造体からの支えなしに単に連結してもよい。このような連結システムを有する幾つかの実施形態では、セクション７２８、７３０は、部室７４４の床７４６上を転がる例えばホイール、キャスタ、又はローラを備えてよい。他の実施形態では、該連結システムはセクション７２８、７３０を吊るして、床４６から離す。
【００５５】
線形アクチュエータ等の電気モータ（不図示）をセクション７２８、７３０を第１位置と第２位置の間を移動させるために設けてもよい。セクション７２８、７３０の移動時に看護士を助けるために、電気モータの代わりに空気圧アクチュエータ、ガススプリング等を使用してもよいことは理解されよう。幾つかの実施形態では、セクション７２８、７３０を第１位置と第２位置に解放可能に保持するために、固定具又はラッチ（不図示）を設けてもよい。
【００５６】
図１８、図１９に示すように、本実施形態では、ヘッドウォール７２６は第１部分７５０と第２部分７５２を備える。第１部分７５０は複数のサービスコネクタ７５４を備えるサービスチェースによって構成される。第２部分７５２は上部７５６と下部７５８とを備える。上部７５６は後部壁７６０と、一対のカーブした側壁７６２とを備える。下部７５８はベッドロケータ７６４と、バンパー７６６とを備える。図２０に示すように、セクション７２８、７３０をヘッドウォール７２６の側の第２位置に移動後、病院ベッド７７０をベッドロケータ７６４の近くに移動させる。バンパー７６６は病院ベッド７７０又はカート等の他の装置との偶発的接触からヘッドウォール７２６を保護する。ベッド７７０はセクション７２８、７３０の間のベッドロケータ７６４の近くでかつサービスコネクタ７５４の近くに位置する。頭上灯７７２は第２部分７５２の後部壁７６０に結合される。灯スイッチ７７４は後部壁７６０又は側壁７６２の適当な位置に配置される。幾つかの実施形態では、セクション７２８、７３０がヘッドウォール７２６の側の第２位置に移動した時、灯７７２は自動的にオンしてもよい。幾つかの実施形態では、第２部分７５２は、関節付き及び／又は入れ子アーム上に装着された患者検診灯（不図示）を備えてもよい。
【００５７】
本開示では、サービスコネクタ７５４群は患者医療に関連する様々な種類のサービス又はユーティリティを提供する場合があることが考慮されている。従って、サービスコネクタ７５４の幾つかは電力を供給する電気コンセントであってもよい。サービスコネクタ７５４の幾つかは、例えば酸素、窒素、空気等のうち１つ以上の医療ガスを供給する医療ガス出口であってもよい。サービスコネクタ７５４の幾つかは、真空を供給する負圧口であってもよい。サービスコネクタ７５４の幾つかは、データ、例えば音声データ、映像データ、及び情報データのうち１つ以上を送受信するデータ通信ポートであってもよい。複数のサービス配達線または管が、病室７４４から離れている設備から関連するサービスコネクタ７５４まで延びている。該サービス配達線は病室７４４の壁７０４、床７４６、又は天井７４８のうち１つ以上を通って配線されてもよい。
【００５８】
図１８、図１９に示すように、セクション７２８は収納キャビネット７８０、トラック面７８２、及び棚７８４を備える。キャビネット７８０は２つの引き出し７８６を備え、第１セクション７２８の下端の近くに配置される。各引き出し７８６はハンドル７８８を備える。キャビネット７８０の上面７９０はカウンタトップまたは執筆面を提供する。棚７８４は第１セクション７２８の上端の近くに配置される。画鋲面は棚７８４とキャビネット７８０の間に配置される。例示の実施形態では、第２セクション７３０は、第２セクション７３０の上端の近くに棚７９２と服を吊るす棒７９４とを有する衣装タンスにより構成される。第２セクション７３０は、一対のドア７９６を備える。各ドア７９６は回転して開き、第２セクション７３０の側面に近い狭いトラック又は開口に沿って収納位置までスライドするよう構成されていてもよい。ヘッドウォール７２６と衣装タンス７０２は、その下端に沿うベース板８００を有する。
【００５９】
例としての装置７００の寸法は次の通りである。１）各衣装タンス部７２８、７３０は幅約２フィート（約６０センチメートル）、高さ約７フィート（約２１０センチメートル）、奥行き約２フィート（約６０センチメートル）、２）ヘッドウォール７２６の第１部７５０は幅約１フィート（約３０センチメートル）、高さ約７フィート（約２１０センチメートル）、奥行き約１フィート（約３０センチメートル）、３）ヘッドウォール７２６の第２部７５２は幅約３フィート（約９０センチメートル）、高さ約７フィート（約２１０センチメートル）である。カーブした側壁７６２の奥行きは、その外周端で最大１フィートからその中央で最小６インチ（約１５センチメートル）である。
【００６０】
該ヘッドウォールと衣装タンスを含む１つ以上の該セクションを任意の数の方法によって望むように構成することが可能であることがこの開示では考慮されている。従って、上記の実施形態は限定することを意図したものではない。例えば、例としてのヘッドウォール７２６は床７４６から上方に延びる背の高いユニットであるが、病室の壁７０４に結合され床７４６から離れた背の低いヘッドウォール（例えば、米国特許第４，６４６，２１１号明細書、第４，８２１，４７０号明細書、及び第５，９６６，７６０号明細書に開示されている）も本発明の範囲内に入る。
【００６１】
衣装タンス７０２の外観は、ホテルまたは居間の家具の外観と類似している。衣装タンス７０２は通常、上記のように様々なタイプのサービスコネクタ７５４を備えるヘッドウォール７２６の前に位置する。衣装タンス７０２は木で作られているか、又は擬似の木調仕上げ又はベニアが施されている。衣装タンス７０２は縁飾りまたは絵等で飾られてもよい。従って、装置２０が病室内に設置された時、病室の見た目は、病室に長く居る患者、家族、及び訪問者にとってリラックスさせる、友好的で、居心地のよいものとなる。
【００６２】
本発明は様々な変更と別の形態が可能であるが、本明細書において特定の幾つかの実施形態を例として図に示し、詳細に説明した。しかし、本発明を開示した特定の形態に限定することを意図したものでなく、本発明は、添付の請求項により定義された本発明の精神と範囲内に入る全ての改良物、等価物、及び別の形態を含むことは理解されるべきである。
【００６３】
本明細書において説明した実施形態の様々な特徴から生じる本発明の複数の利点が存在する。説明した特徴の一部だけを含む本発明の他の実施形態は、前記複数の利点のうち少なくとも幾つかの利点を有する。当業者は、本発明の特徴のうち１つ以上を備える、添付の請求項により定義された本発明の精神と範囲内に入る実施形態を容易に思いつく可能性がある。
【図面の簡単な説明】
【００６４】
【図１】複数の患者医療モジュールを備えるモジュール式壁を示す前面立面図である。
【図２】ハンガー受容穴を有する複数の枠ユニットと、該枠ユニットのハンガー受容穴に受容された複数のハンガーと、該ハンガーによって取外し可能に支持された様々な患者医療モジュールとを示す図１のモジュール式壁の一部の斜視図である。
【図３】表示パネルと、血圧測定カフスと、体温計と、パルス酸素濃度計と、心拍モニターと、リードとセンサのための収納器と、使い捨てプローブカバーのための収納器と、アクセサリ装着トラックと、アクセサリバスケットとを備える生命徴候モジュールの斜視図である。
【図４】水平サービス提供モジュールの斜視図である。
【図５】垂直サービス提供モジュールの斜視図である。
【図６】ベッドロケータモジュールの斜視図である。
【図７】フラット画面モニターモジュールの斜視図である。
【図８】関節付きアームに装着されたフラット画面を有するモニターモジュールの斜視図である。
【図９】ビューボックスモジュールの斜視図である。
【図１０】鋭利物廃棄モジュールの斜視図である。
【図１１】コンピュータ・キーボードモジュールの斜視図である。
【図１２】管投下モジュールの斜視図である。
【図１３】キャビネットモジュールの斜視図である。
【図１４】廃棄物管理モジュールの斜視図である。
【図１５】枠ユニットに取付けられたハンガーをスライド受容するためのガイドトラックを有する患者医療モジュールの斜視図である。
【図１６】生命徴候モジュールの様々な電気部品を示すブロック図である。
【図１７】生命徴候モジュールの様々な電気部品の他の配置を示すブロック図である。
【図１８】ヘッドウォールと衣装タンスを備える装置の斜視図であり、該衣装タンスの第１セクションと第２セクションがそれぞれヘッドウォールの第１の側と第２の側に移動され、ベッドロケータと複数のサービスコネクタとへのアクセスを提供する開位置にある該装置を示す。
【図１９】該開位置にある該装置の前面立面図である。
【図２０】該開位置にある該装置の平面図である。
【図２１】閉位置にある該装置の前面立面図であり、該閉位置は該衣装タンスの第１セクションと第２セクションがヘッドウォールの前に移動した状態である。
【図２２】該閉位置にある該装置の平面図である。
【符号の説明】
【００６５】
２０  モジュール壁システムまたは装置
２４  患者医療モジュール
１００  枠ユニット
１０２  支持部材、ハンガー
１１０  垂直部材
１１２  水平部材
【図１】
2008501419.tif 000003
【図２】
2008501419.tif 000004
【図３】
2008501419.tif 000005
【図４】
2008501419.tif 000006
【図５】
2008501419.tif 000007
【図６】
2008501419.tif 000008
【図７】
2008501419.tif 000009
【図８】
2008501419.tif 000010
【図９】
2008501419.tif 000011
【図１０】
2008501419.tif 000012
【図１１】
2008501419.tif 000013
【図１２】
2008501419.tif 000014
【図１３】
2008501419.tif 000015
【図１４】
2008501419.tif 000016
【図１５】
2008501419.tif 000017
【図１６】
2008501419.tif 000018
【図１７】
2008501419.tif 000019
【図１８】
2008501419.tif 000020
【図１９】
2008501419.tif 000021
【図２０】
2008501419.tif 000022
【図２１】
2008501419.tif 000023
【図２２】
2008501419.tif 000024
【国際調査報告】
2008501419.tif 000025
2008501419.tif 000026